(57)【要約】【課題】把手本体の両端部に、ビスや接着剤を用いることなく、一対の脚部を強固に固定する。【解決手段】グリップ２の両端部に、一対のエルボ３を固定するにあたり、グリップ２の両端部に、偏芯リング装着溝９ｃが形成された連結軸９を一体的に設けると共に、該連結軸９の偏芯リング装着溝９ｃに偏芯リング１０を装着し、該偏芯リング１０が装着された連結軸９をエルボ３の中空部に嵌入させ、この状態でエルボ３を所定方向に回動させることにより、エルボ３をグリップ２に締め込み固定する。【選択図】        図２
2004197416.tif 000002
【特許請求の範囲】
【請求項１】
ドアに取り付けられる把手であって、該把手のグリップを構成する把手本体の両端部に、ドアに取り付けられる一対の脚部を固定するにあたり、前記把手本体の両端部に、偏芯締め込み部が形成された連結軸を一体的に設けると共に、該連結軸の偏芯締め込み部に偏芯リングを装着し、該偏芯リングが装着された連結軸を前記脚部の連結穴に嵌入させ、この状態で前記脚部を所定方向に回動させることにより、前記脚部を把手本体に締め込み固定することを特徴とする把手。
【請求項２】
ドアに取り付けられる把手であって、該把手のグリップを構成する把手本体の両端部に、ドアに取り付けられる一対の脚部を固定するにあたり、前記脚部の把手本体側端部に、偏芯締め込み部が形成された連結軸を一体的に設けると共に、該連結軸の偏芯締め込み部に偏芯リングを装着し、該偏芯リングが装着された連結軸を前記把手本体の連結穴に嵌入させ、この状態で前記脚部を所定方向に回動させることにより、前記脚部を把手本体に締め込み固定することを特徴とする把手。
【請求項３】
請求項１又は２において、前記一対の脚部は、前記把手本体の両端部に締め込み固定されるとき、互に逆方向から回動されることを特徴とする把手。
【請求項４】
請求項１乃至３のいずれかにおいて、前記把手本体の両端部又は各脚部に設けられる前記一対の連結軸が同一形状であることを特徴とする把手。
【請求項５】
請求項１乃至４のいずれかにおいて、前記一対の連結軸に装着される前記一対の偏芯リングが同一形状であることを特徴とする把手。
【発明の詳細な説明】
【０００１】
【発明の属する技術分野】
本発明は、引戸などのドアに取り付けられる把手に関し、特に、把手本体の両端部に、一対の脚部を一体的に固定して構成される把手に関する。
【０００２】
【従来の技術】
引戸などのドアに取り付けられる把手として、側面視コ字状に形成されるものが知られている。この種の把手には、パイプ部材などで一体形成されるタイプ（例えば、特許文献１参照。）と、把手本体の両端部に一対の脚部を一体的に固定して構成されるタイプ（例えば、特許文献２参照。）とがあり、近年では、後者の需要が増加している。つまり、後者のタイプでは、把手本体と脚部を異なる材質で形成することができるため、例えば、把手本体を抗菌樹脂で形成することにより、把手の衛生上の安全性を高め、医療施設や福祉施設に好適なものとできる。
【０００３】
しかしながら、従来においては、把手本体の両端部に一対の脚部を固定するにあたり、外部に露出するビスを使用していたため、把手の外観を損なう許りでなく、ビスの緩みによって把手本体にガタが生じるという問題があった。また、把手本体と脚部を接着剤で固定することも考えられるが、把手本体と脚部の材質が異なる場合、適合する接着剤の選定が難しい許りでなく、十分な接着強度や耐久性が得られないという問題があり、把手本体と脚部の材質が同じ場合であっても、接着に長い乾燥時間を必要とし、作業時間短縮の妨げとなっていた。
【０００４】
【特許文献１】
特開平１０−１２１７９３号公報（第２頁、第１図）
【特許文献２】
特開２００２−１３８７１４号公報（第２頁、第１図）
【０００５】
【発明が解決しようとする課題】
本発明は、上記の如き問題点を一掃すべく創案されたものであって、把手本体の両端部に一対の脚部を固定して構成されるものでありながら、ビスや接着剤を用いることなく、脚部と把手本体を強固に締め込み固定することにより、外観に優れ、しかも、把手本体のガタツキを確実に防止することができる把手の提供を目的とする。
【０００６】
【課題を解決するための手段】
上記課題を解決するために本発明の把手は、ドアに取り付けられる把手であって、該把手のグリップを構成する把手本体の両端部に、ドアに取り付けられる一対の脚部を固定するにあたり、前記把手本体の両端部に、偏芯締め込み部が形成された連結軸を一体的に設けると共に、該連結軸の偏芯締め込み部に偏芯リングを装着し、該偏芯リングが装着された連結軸を前記脚部の連結穴に嵌入させ、この状態で前記脚部を所定方向に回動させることにより、前記脚部を把手本体に締め込み固定することを特徴とするものである。
【０００７】
また、上記課題を解決するために本発明の把手は、ドアに取り付けられる把手であって、該把手のグリップを構成する把手本体の両端部に、ドアに取り付けられる一対の脚部を固定するにあたり、前記脚部の把手本体側端部に、偏芯締め込み部が形成された連結軸を一体的に設けると共に、該連結軸の偏芯締め込み部に偏芯リングを装着し、該偏芯リングが装着された連結軸を前記把手本体の連結穴に嵌入させ、この状態で前記脚部を所定方向に回動させることにより、前記脚部を把手本体に締め込み固定することを特徴とするものである。
【０００８】
【発明の実施の形態】
以下、本発明の実施の形態を好適な実施の形態として例示する把手を図面に基づいて詳細に説明する。図１は把手の正面図、図２は把手の取り付け状態を示す一部切欠き側面図、図３は把手本体と脚部の連結構造を示す断面図である。これらの図に示すように、把手１は、グリップ（把手本体）２と、その両端部に連結固定される一対のエルボ（脚部）３とを備えて構成されている。
【０００９】
把手１には、ドア４の室外側に取り付けられる室外用把手１Ａと、ドア４の室内側に取り付けられる室内用把手１Ｂとがある。室外用把手１Ａでは、エルボ３のドア側端部に予め固定芯金５が埋め込まれる一方、室内用把手１Ｂでは、エルボ３のドア側端部に予めビス孔３ａが形成される。
【００１０】
ドア４に室外用把手１Ａ及び室内用把手１Ｂを取り付ける場合は、室外用把手１Ａを所定の取り付け位置に仮保持すると共に、内側芯金６に貫通させた取り付けビス７を、室内側からドア４の取り付け孔４ａに差し込み、その先端部を前記固定芯金５にねじ込む。これにより、室外用把手１Ａが室内側から固定される。その後、室内用把手１Ｂのエルボ３を内側芯金６に嵌合させると共に、ビス孔３ａを介して内側芯金６に固定ビス８をねじ込み、室内用把手１Ｂを固定する。
【００１１】
本実施形態の把手１は、医療施設、福祉施設、公共施設などでの使用を想定し、衛生的及び強度的に安全性の高いものとして設計されている。つまり、抗菌樹脂で形成されるグリップ２と、ステンレスパイプで形成されるエルボ３とを、連結軸９及び偏芯リング１０を用いて強固に締め込み固定することにより、本実施形態の把手１が構成される。以下、連結軸９及び偏芯リング１０を用いた連結構造について、図面を参照して詳細に説明する。
【００１２】
図４の（Ａ）はグリップの端部断面図、（Ｂ）はグリップの端面図である。図５の（Ａ）は連結軸の先端面を示す端面図、（Ｂ）は連結軸の側面図、（Ｃ）は連結軸の基端面を示す端面図、（Ｄ）は連結軸のＡ−Ａ断面図である。これらの図に示すように、グリップ２の両端面には、グリップボルト１１をねじ込むためのねじ込み孔２ａと、連結軸９を回り止めするための凹部２ｂとが形成されている。
【００１３】
連結軸９は、エルボ３の内径に合せて形成される樹脂製の軸部材であり、軸芯部に形成されるボルト貫通孔９ａと、基端面に形成される回り止め用の凸部９ｂと、外周部に形成される偏芯リング装着溝９ｃとを一体に有している。そして、連結軸９は、グリップ２の凹部２ｂに凸部９ｂを嵌合させた状態で、ボルト貫通孔９ａにグリップボルト１１を挿通し、その先端側をグリップ２のねじ込み孔２ａにねじ込むことにより、グリップ２の端面に一体的に固定される。また、偏芯リング装着溝９ｃの溝底面（偏芯締め込み部）９ｄは、図５の（Ｄ）に示すように、連結軸９の軸芯に対して偏芯する偏芯軸を形成している。尚、グリップ２の両端部に固定される一対の連結軸９は同一形状のものである。
【００１４】
図６の（Ａ）は偏芯リングの一側面図、（Ｂ）は偏芯リングの平面図、（Ｃ）は偏芯リングの他側面図、（Ｄ）は連結軸に装着した偏芯リングの断面図である。これらの図に示すように、偏芯リング１０は、平面視Ｃ字状の樹脂製リングであり、内周円と外周円が互に偏芯するように形成されている。この内周円と外周円の寸法関係及び偏芯量は、前記連結軸９の外周円と内周円（溝底面９ｄ）の寸法関係及び偏芯量に対応して設定されている。つまり、偏芯リング１０を連結軸９の偏芯リング装着溝９ｃに装着した状態では、図６の（Ｄ）に示すように、偏芯リング１０が若干拡開するが、偏芯リング１０が装着された連結軸９をエルボ３の中空部（連結穴）に嵌入させると、偏芯リング１０の外周面がエルボ３の内周面に密着し、内周が偏芯リング装着溝９ｃの溝底面９ｄに密着した状態となる。尚、各連結軸９に装着される一対の偏芯リング１０は同一形状のものである。
【００１５】
図７の（Ａ）は回り止め部材の平面図、（Ｂ）は回り止め部材の正面図、（Ｃ）は回り止め部材の側面図である。これら図に示される回り止め部材１２は、偏芯リング１０の回り止め装着溝１０ａに装着されるもので、例えば、ステンレス板をコ字状に曲げ加工して形成される。回り止め部材１２の両端部には、先鋭状の爪部１２ａが形成されており、この爪部１２ａがエルボ３の内周面に引っ掛かることにより、エルボ３に対する偏芯リング１０の回動が規制される。
【００１６】
つまり、グリップ２の両端部に、偏芯リング装着溝９ｃが形成された連結軸９を一体的にボルト固定すると共に、該連結軸９の偏芯リング装着溝９ｃに偏芯リング１０及び回り止め部材１２を装着し、この連結軸９をエルボ３の中空部に嵌入させた状態で、エルボ３を所定方向に回動させると、偏芯リング装着溝９ｃの溝底面９ｄが偏芯リング１０をエルボ３の内周面に徐々に押し付けることにより、エルボ３がグリップ２に締め込み状に固定されることになる。これにより、ビスや接着剤を用いることなく、エルボ３をグリップ２に強固に連結固定することが可能になる。
【００１７】
次に、把手１の組み立て手順について、図８及び図９を参照して説明する。但し、グリップ２の両端部には、予め連結軸９が固定され、ここには偏芯リング１０及び回り止め部材１２が装着されているものとする。図８は把手の組み立て過程を示す斜視図、図９は把手の組み立て過程を示す平面図である。把手１を組み立てる場合は、グリップ２の一端部に設けられる連結軸９に対し、一方のエルボ３を嵌合させた後、このエルボ３を所定方向（Ａ方向）に回動させる。これにより、一方のエルボ３がグリップ２の一端部に対して締め込み状に固定される。次に、上記グリップ２及びエルボ３を治具１３のＬ字溝１３ａにセットし、動かないようにする。この状態で、グリップ２の他端部に設けられる連結軸９に対し、他方のエルボ３を嵌合させた後、このエルボ３を、前記エルボ３とは逆の方向（Ｂ方向）に回動させて、グリップ２の他端部に対して締め込み固定し、把手１の組立てが終わる。そして、上記のように組み立てられた把手１をドア４に取り付けると、互に逆方向から締め込まれた一対のエルボ３がドア４に固定されることにより、グリップ２の両方向の回動が規制されることになる。
【００１８】
叙述の如く構成された本発明の実施の形態において、グリップ（把手本体）２の両端部に、一対のエルボ（脚部）３を固定する場合は、グリップ２の両端部に、偏芯リング装着溝（偏芯締め込み部）９ｃが形成された連結軸９を一体的に設けると共に、該連結軸９の偏芯リング装着溝９ｃに偏芯リング１０を装着し、該偏芯リング１０が装着された連結軸９をエルボ３の中空部（連結穴）に嵌入させ、この状態でエルボ３を所定方向に回動させることにより、エルボ３をグリップ２に締め込み固定する。これにより、ビスや接着剤を用いることなく、エルボ３とグリップ２を強固に固定することが可能になり、その結果、外観に優れ、しかも、グリップ２のガタがない把手１を提供することができる。
【００１９】
また、一対のエルボ３は、互に逆方向からグリップ２に締め込まれるため、一対のエルボ３をドア４に取り付けることにより、グリップ２の回動を確実に規制することができる。
【００２０】
また、グリップ２の両端部に設けられる連結軸９及び偏芯リング１０は、左右勝手のない同一形状のものであるため、部品の種類を減らしてコストダウンが図れる許りでなく、組み立て作業を簡略化することができる。
【００２１】
尚、本発明は、前記実施形態に限定されないことは勿論であって、例えば、連結軸を脚部側に設けるようにしてもよい。この場合には、把手本体の両端部に、ドアに取り付けられる一対の脚部を固定するにあたり、脚部の把手本体側端部に、連結軸を一体的に設けると共に、該連結軸の偏芯リング装着溝（偏芯締め込み部）に偏芯リングを装着し、該偏芯リングが装着された連結軸を把手本体の連結穴に嵌入させ、この状態で脚部を所定方向に回動させることにより、脚部を把手本体に締め込み固定することになる。
【００２２】
【発明の効果】
本発明は、上記のように構成したことにより、把手本体の両端部に一対の脚部を固定して構成されるものでありながら、ビスや接着剤を用いることなく、脚部と把手本体を強固に締め込み固定することにより、外観に優れ、しかも、把手本体のガタツキを確実に防止することができる。また、一対の脚部を、把手本体の両端部に対して、互に逆方向から締め込み固定するようにすれば、一対の脚部をドアに取り付けることにより、把手本体の両方向の回動を確実に規制することが可能になる。
【図面の簡単な説明】
【図１】把手の正面図である。
【図２】把手の取り付け状態を示す一部切欠き側面図である。
【図３】把手本体と脚部の連結構造を示す断面図である。
【図４】（Ａ）はグリップの端部断面図、（Ｂ）はグリップの端面図である。
【図５】（Ａ）は連結軸の先端面を示す端面図、（Ｂ）は連結軸の側面図、（Ｃ）は連結軸の基端面を示す端面図、（Ｄ）は連結軸のＡ−Ａ断面図である。
【図６】（Ａ）は偏芯リングの一側面図、（Ｂ）は偏芯リングの平面図、（Ｃ）は偏芯リングの他側面図、（Ｄ）は連結軸に装着した偏芯リングの断面図である。
【図７】（Ａ）は回り止め部材の平面図、（Ｂ）は回り止め部材の正面図、（Ｃ）は回り止め部材の側面図である。
【図８】把手の組み立て過程を示す斜視図である。
【図９】把手の組み立て過程を示す平面図である。
【符号の説明】
１      把手
２      グリップ
２ａ    ねじ込み孔
２ｂ    凹部
３      エルボ
３ａ    ビス孔
４      ドア
４ａ    取り付け孔
５      固定芯金
６      内側芯金
７      ビス
８      固定ビス
９      連結軸
９ａ    ボルト貫通孔
９ｂ    凸部
９ｃ    偏芯リング装着溝
９ｄ    溝底面
１０    偏芯リング
１０ａ  装着溝
１１    グリップボルト
１２    回り止め部材
１２ａ  爪部
１３    治具
１３ａ  Ｌ字溝
【図１】
2004197416.tif 000003
【図２】
2004197416.tif 000004
【図３】
2004197416.tif 000005
【図４】
2004197416.tif 000006
【図５】
2004197416.tif 000007
【図６】
2004197416.tif 000008
【図７】
2004197416.tif 000009
【図８】
2004197416.tif 000010
【図９】
2004197416.tif 000011